(57)【要約】オーディオ演奏のためのオーディオ監視システムは、１つ以上の端末装置及び１つ以上の基本装置から構成される。基本装置は、チャネルラベル、周波数、及びミックス識別子から構成される伝送データを端末装置に送信するように構成される。端末装置は、伝送データを受信して記憶するように構成される。端末装置は、ユーザが記憶された伝送データを選択してユーザディスプレイに伝送データを表示することを可能にする。端末装置は、記憶された周波数上で基本装置からオーディオ信号を受信することが可能であり、音声伝送装置に対応するオーディオ信号を出力するように構成される。
2013509095.tif 000002
【特許請求の範囲】
【請求項１】
端末装置において第１の基本装置から第１の周波数を含む第１の組の伝送データを無線で受信するステップと、
前記端末装置のメモリに前記第１の組の伝送データを記憶するステップと、
前記端末装置において第２の基本装置から第２の周波数を含む第２の組の伝送データを無線で受信するステップと、
前記端末装置の前記メモリに前記第２の組の伝送データを記憶するステップと、
前記端末装置上のユーザ入力装置から受信される選択に応じて前記第１又は第２の周波数で前記端末装置においてオーディオ信号を受信するステップと、
前記ユーザ入力装置からの前記選択に応じて音声伝送装置にオーディオ信号を出力するステップと
を備える、方法。
【請求項２】
前記第１の組の伝送データ及び前記第２の組の伝送データは、前記端末装置に設置される赤外線受信機を介して前記端末装置によって受信される、請求項１に記載の方法。
【請求項３】
前記端末装置が前記第１の基本装置の近接している間に、前記端末装置は、前記第１の基本装置におけるユーザ入力に応じて前記第１の組の伝送データを受信し、且つ、前記端末装置が前記第２の基本装置の近接している間に、端末装置は、前記第２の基本装置におけるユーザ入力に応じて前記第２の組の伝送データを受信する、請求項２に記載の方法。
【請求項４】
前記第１の組又は前記第２の組の伝送情報の少なくとも一部は、ユーザ入力装置からの選択に応じて前記端末装置において表示される、請求項１に記載の方法。
【請求項５】
前記第１の組又は第２の組の伝送情報は、ミックス識別子を更に含む、請求項４に記載の方法。
【請求項６】
前記端末装置において１つ以上の追加の基本装置から周波数及びミックス識別子を含む少なくとも１つの追加の組の伝送データを無線で受信するステップと、前記端末装置の前記メモリに前記少なくとも１つの追加の組の伝送データを記憶するステップとを更に備える、請求項５に記載の方法。
【請求項７】
ユーザ入力装置からの選択に応じて前記端末装置における前記ユーザディスプレイに前記少なくとも１つの追加の組の伝送データを表示するステップと、前記ユーザ入力装置からの前記選択に応じて前記少なくとも１つの追加の組の伝送データに対応するオーディオ信号を前記端末装置において受信するステップと、前記ユーザ入力装置からの前記選択に応じて音声伝送装置に前記少なくとも１つの追加の組の伝送データに対応する前記オーディオ信号を出力するステップとを更に備える、請求項６に記載の方法。
【請求項８】
前記第１の組の伝送データ及び前記第２の組の伝送データは、前記端末装置によって自動的に受信され且つ記憶される、請求項１に記載の方法。
【請求項９】
前記ＲＦ環境は監視されて、干渉を検出すると、前記第１又は第２の基本装置のために新しい周波数伝送値が確立される、請求項１に記載の方法。
【請求項１０】
前記端末装置は、前記第１の組の伝送データ及び前記第２の組の伝送データにチャネルラベルを割り当てる、請求項４に記載の方法。
【請求項１１】
前記端末装置は、前記第１の組の伝送データ及び前記第２の組の伝送データに前記端末装置が前記第１及び第２の組の伝送データを受信する順序に基づいた数値を割り当てる、請求項１０に記載の端末装置。
【請求項１２】
プロセッサと、
第１の基本装置の第１の周波数及び第１のミックス識別子を含む第１の組の伝送データ、及び第２の基本装置の第２の周波数及び第２のミックス識別子を含む第２の組の伝送データを記憶するように構成されるメモリと、
前記第１の組の伝送データ又は前記第２の組の伝送データの選択を可能にするユーザ入力装置と
を備える端末装置であって、
前記端末装置は、前記第１の組の伝送データ及び前記第２の組の伝送データをチャネルラベルと関係付け、
前記第１の組の伝送データが選択される場合、前記端末装置は、前記第１の基本装置から前記第１の周波数において第１のオーディオ信号を受信し、前記第２の組の伝送データが選択される場合、前記端末装置は、前記第２の基本装置から前記第２の周波数において第２のオーディオ信号を受信し、且つ
前記端末装置は、前記第１及び第２のオーディオ信号を音声伝送装置に出力するように構成される、端末装置。
【請求項１３】
前記第１及び第２の組の伝送データを受信するように構成される赤外線受信機を更に備える、請求項１２に記載の端末装置。
【請求項１４】
前記メモリは、周波数を含む追加の組の伝送データを受信して前記メモリに記憶するように構成され、且つ電源が切られた場合に全ての記憶された伝送データを保持するように更に構成される、請求項１２に記載の端末装置。
【請求項１５】
前記プロセッサは、前記第１の組の伝送データ及び前記第２の組の伝送データを自動的に前記メモリに受信及び記憶するように構成される、請求項１２に記載の端末装置。
【請求項１６】
前記メモリは、前記プロセッサが干渉を監視及び検出して、前記第１又は第２の基本装置に対する新しい周波数伝送を決定して、前記新しい周波数伝送を前記第１又は第２の基本装置に伝達するための命令を備える、請求項１２に記載の端末装置。
【請求項１７】
選択された前記組の伝送データの少なくとも一部を表示するように構成されるユーザディスプレイを更に備える、請求項１２に記載の端末装置。
【請求項１８】
前記端末装置は、前記第１の組の伝送データ及び前記第２の組の伝送データに前記端末装置が前記第１の組の伝送データ及び前記第２の組の伝送データを受信する順序に基づいて数値を割り当てる、請求項１２に記載の端末装置。
【請求項１９】
プロセッサ、メモリ、ユーザ入力装置、ディスプレイ及び赤外線受信機を備える端末装置と、
各々が無線送信機、プロセッサ、メモリ、ユーザ入力装置、ディスプレイ及び赤外線送信機を備える複数の基本装置と
を備えるオーディオ監視システムであって、
各基本装置は、周波数及びミックス識別子を含む一組の伝送データを前記基本装置の赤外線送信機を介して前記端末装置の赤外線受信機に送信するように構成され、
前記端末装置は、
（ｉ）受信された複数の組の前記伝送データを記憶し、
（ｉｉ）利用可能な記憶された複数の組の前記伝送データのユーザ選択を受信し、
（ｉｉｉ）前記ディスプレイに選択された前記伝送データの少なくとも一部を表示し、
（ｉｖ）選択された組の前記伝送データの前記周波数で前記基本装置の１つからオーディオ信号を受信し、且つ
（ｖ）音声伝送装置に前記オーディオ信号を出力するように構成される、
オーディオ監視システム。
【請求項２０】
前記端末装置は、複数の組の前記伝送データを複数のチャネルラベルと関係付ける、請求項１９に記載のオーディオ監視システム。
【請求項２１】
前記端末装置は、個別の組の伝送データの各々に前記端末装置が前記個別の組の伝送データを受信する順序に基づいて数値を割り当てる、請求項１９に記載のオーディオ監視システム。
【請求項２２】
コンピュータ可読プログラムコードが具現化されるコンピュータ使用可能媒体を備えるコンピュータプログラム製品であって、
前記コンピュータ可読プログラムコードは、方法を実行するためにプロセッサによって実行されるように適合され、
前記方法は、
周波数及びミックス識別子を含む伝送データを用いて複数の基本装置及び少なくとも１つの端末装置を構成し、
伝送干渉に関して前記複数の基本装置及び前記少なくとも１つの端末装置を監視し、且つ
伝送干渉の検出に応じて、前記複数の基本装置及び前記少なくとも１つの端末装置の少なくとも１つの前記伝送データを変更することを備える、
コンピュータプログラム製品。
【請求項２３】
前記方法は、伝送干渉の検出に応じて前記伝送データを自動的に変更することを更に備える、請求項２２に記載のコンピュータプログラム製品。
【請求項２４】
前記方法は、ユーザ入力によって前記伝送データを手動で変更することを更に備える、請求項２２に記載のコンピュータプログラム製品。
【発明の詳細な説明】
【技術分野】
【０００１】
本開示の態様は、舞台演奏者の耳に、特に、複数のミックス送信データを記憶することが出来る端末装置に、端末装置が複数の基本装置によって出力される様々なミックス信号からユーザに選択させる能力を許可するように、音声ミックスを直接無線で送信するオーディオ監視システムに関する。
【背景技術】
【０００２】
音楽演奏において、舞台上の他の演奏者だけでなく自分自身を聞く手段を舞台上の各演奏者に提供する必要がある。こうしたシステムは、演奏者よって舞台上で生成される高い音声レベル、音声補強システム、及び観客の結果である。
【０００３】
従来、これは、演奏のミックス又は選択部分を各舞台演奏者に提供する、舞台上に設置されるスピーカの使用により達成されてきた。この方法は実際に機能し、本明細書に開示の実施形態と共に使用することも可能であるが、舞台モニタの使用は、演奏者に有害な雑音レベルを生成し、舞台上での演奏者の移動を制限する場合があり、干渉及びハウリング問題につながる可能性がある。
【０００４】
従来の監視のこうした特性に照らして、個人監視システム又はインイヤ（ｉｎ−ｅａｒ）監視システムが開発されている。こうしたシステムは、一般に、個人化ミックスを含む信号を各演奏者が身に着けた個別のボディパック受信機又は端末装置に無線で送信する１つ以上の送信機又は基本装置から構成される。端末装置は、演奏者が身に着ける密閉型イヤホン用のジャックを有する。こうしたシステムは、イヤホンを通じて各個の演奏者に自身の正確且つ明瞭な個人化ミックスを提供し、同時にユーザに舞台上での移動性を提供し、同時に演奏者が高い雑音レベルに晒されることを制限する。現在の端末装置は、一度に１つの周波数設定のみを記憶することが可能であり、基本装置によって出力される追加のミックスを受信するためには再設定しなければならない。これは、時間がかかる可能性があり、オーディオミックスを完成させる音声エンジニアの能力を奪う。更に、端末装置が故障すると、音声エンジニアは、新しい端末装置を再設定して、それを舞台上に届けなければならない。これは、演奏の適切な休止又は休憩まで行われない場合があり、そのため、音声エンジニアのミックスを監視するための能力を損なう。
【発明の概要】
【０００５】
以下は、一部の態様の基本的な理解を提供するために本開示の簡略化された概要を提示する。本発明の主要な若しくは重要な要素を特定し、又は本発明の範囲を詳述することは意図されていない。以下の概要は、単に、以下に提示されるより詳細な説明への前置きとして、簡略化して本開示の一部の概念を提示する。
【０００６】
本発明の１つの例示的な実施形態は、基本装置によって出力される様々なミックスを切り替え又はスクロールするように構成されるプログラミング可能端末装置を提供する。端末装置は、基本装置によって出力される異なるミックスごとに、チャネルラベル、周波数情報、及びミックス情報が読み込まれ得る。この情報は、端末装置のメモリに記憶され得る。各ミックスは、端末装置上のＬＣＤスクリーンに表示可能であり、各端末装置は、ユーザが基本装置によって出力されるミックス信号の１つを選択出来るように、トグルスイッチ又は選択ボタンが設けられ得る。
【０００７】
例示的な実施形態では、端末装置が、限定されないが、第１の周波数及び第１のミックス識別子を含む第１の組の伝送データを第１の基本装置から無線で受信する方法が開示される。次に、端末装置は、端末装置のメモリに第１の組の伝送データを記憶する。次に、端末装置は、第２の周波数及び第２のミックス識別子を含む第２の組の伝送データを第２の基本装置から無線で端末装置において受信して、そのメモリに第２の組の伝送データを記憶することが出来る。次に、端末装置は、ユーザ入力装置からのトグル選択に応じて、端末装置上のユーザディスプレイに第１又は第２の組の伝送データを表示して、第１又は第２の周波数で端末装置上でオーディオ信号を受信することが出来る。次に、端末装置は、ユーザ入力装置からのトグル選択に応じて音声伝送装置にオーディオ信号を出力する。端末装置は、追加の基本装置によって出力される追加の周波数にアクセスするための迅速な方法を提供するために、１つ以上の追加の基本装置から追加の組の伝送データを受信して記憶することが出来る。
【０００８】
例示的な実施形態では、伝送データは、基本装置によって伝送されて、赤外線リンクを介して端末装置によって受信され得る。別の例示的な実施形態では、伝送データは、一連のネットワーク接続された基本装置の１つから赤外線リンク又は任意の他の周知の無線伝送方法を介して受信されて、端末装置のメモリに記憶され得る。システムは、各チャネルラベル及び各周波数の順序及びミックス識別子を設定するために、ユーザの選択により基本装置及び／又はネットワーク接続されたコンピュータに優先番号を設定するように構成され得る。
【０００９】
更に別の実施形態では、端末装置は、干渉のためにＲＦ環境を監視し、干渉を検出すると、端末装置のために新しい周波数伝送パラメータを決定して、新しい周波数伝送パラメータを基本装置に伝達することが出来る。更に別の実施形態では、ネットワーク接続されたスキャン装置が、干渉検出を制御して、新しい障害のないチャネルに周波数伝送を変更するように基本装置及び端末装置の双方を促すことが出来る。
【図面の簡単な説明】
【００１０】
本開示は、例示目的で示されており、添付の図面に制限されない。
【図１】オーディオ監視システムの例示的な実施形態の概略を示す。
【図２】基本装置及び端末装置の双方のハードウェア及びソフトウェアの例示的な概略を示す。
【図３】基本装置の例示的な実施形態の前面図を示す。
【図４Ａ】端末装置の例示的な実施形態の前面図を示す。
【図４Ｂ】端末装置の例示的な実施形態の別の前面図を示す。
【図４Ｃ】端末装置の例示的な実施形態の背面図を示す。
【図５Ａ】端末装置の例示的なディスプレイを示す。
【図５Ｂ】端末装置の別の例示的なディスプレイを示す。
【図５Ｃ】例示的な動作モードにおける基本装置の例示的な実施形態の別の前面図を示す。
【図６Ａ】基本装置の例示的なディスプレイを示す。
【図６Ｂ】端末装置の別の例示的なディスプレイを示す。
【図７Ａ】基本装置の別の例示的なディスプレイを示す。
【図７Ｂ】端末装置の別の例示的なディスプレイを示す。
【図８Ａ】端末装置の例示的な特徴を示す。
【図８Ｂ】端末装置の例示的な特徴を示す。
【図８Ｃ】端末装置の例示的な特徴を示す。
【発明を実施するための形態】
【００１１】
全体システム構造
図１は、オーディオ監視システムの一例を示す。オーディオ監視システムは、ミキサ１００、１つ以上の基本装置２００、及び１つ以上の端末装置３００を含んでもよい。更に、オーディオ監視システムは、１つ以上の舞台スピーカ、１つ以上の録音装置、マイクロホン、並びにギター、キーボード及びドラム等の楽器から構成され得る。端末装置３００は、１つ以上の音声ミックスをユーザの耳に出力する音声伝送装置４００に結合されてもよい。
【００１２】
オーディオ監視システムの構成要素は、任意の周知の有線（例えば、ＸＬＲ又は１／４”ケーブル）又は無線リンクを介して互いに動作可能に接続され得る。図１に示される例示的な実施形態では、ミキサ１００は、有線リンクを介して基本装置２００に接続されており、基本装置は、無線信号Ｒを端末装置３００に送信するように構成される。また、一実施形態における更なる詳細で以下に記載されるように、基本装置２００及び端末装置は、赤外線同期機能が設けられてもよい。更に、オーディオ監視システムは、インターネット、イントラネット、ＷＡＮ（ｗｉｄｅ−ａｒｅａ  ｎｅｔｗｏｒｋ）、ＬＡＮ（ｌｏｃａｌ−ａｒｅａ  ｎｅｔｗｏｒｋ）、無線ネットワーク、ＤＳＬ（ｄｉｇｉｔａｌ  ｓｕｂｓｃｒｉｂｅｒ  ｌｉｎｅ）ネットワーク、フレームリレイネットワーク、ＡＴＭ（ａｓｙｎｃｈｒｏｎｏｕｓ  ｔｒａｎｓｆｅｒ  ｍｏｄｅ）ネットワーク、ＶＰＮ（ｖｉｒｔｕａｌ  ｐｒｉｖａｔｅ  ｎｅｔｗｏｒｋ）、又はこれらの任意の組み合わせを含む任意の適切なコンピュータネットワークであり得るネットワークを備え得る。ネットワーク接続されたオーディオ監視システム構成要素間の通信リンクは、ネットワークリンク、ダイアルアップリンク、無線リンク、有線リンク等の任意の適切なリンクであってもよい。記載されたこうしたネットワーク接続は例示的であり、オーディオシステム構成要素間の通信リンクを確立する他の手段が使用されてもよいことが理解されるであろう。ＴＣＰ／ＩＰ、イーサネット（登録商標）、ＦＴＰ及びＨＴＴＰ等の任意の様々な周知のプロトコルの存在が推定される。また、システムは、ウェブベース型サーバからウェブページをユーザに検索させるようにクライアントサーバ構成で動作させられ得る。ウェブページ上のデータを表示して操作するために、任意の様々な従来のウェブブラウザが使用され得る。
【００１３】
基本装置及び端末装置
図２は、基本装置及び端末装置の双方におけるハードウェア及びソフトウェアの代表的な概略図である。基本装置及び端末装置は、動作全体、並びにＲＡＭ１０５、ＲＯＭ１０７、通信モジュール１０９、及びメモリ１１５を含む関連する構成要素を制御するためのプロセッサ１０３が設けられ得る。基本装置及び端末装置の双方は、様々なコンピュータ可読媒体を含み得る。コンピュータ可読媒体は、装置がアクセス可能な任意の利用可能な媒体であり、揮発性及び不揮発性、取り外し可能及び取り外し不可能な媒体を含んでもよい。限定ではなく例示として、コンピュータ可読媒体は、コンピュータ記憶媒体及び通信媒体の組み合わせを含んでもよい。
【００１４】
コンピュータ記憶媒体は、コンピュータ可読命令、データ構造、プログラムモジュール又は他のデータ等の情報を記録するための任意の方法又は技術で実装される揮発性及び及び不揮発性、取り外し可能及び取り外し不可能な媒体を含む。限定されないが、コンピュータ記憶媒体は、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ＥＥＰＲＯＭ（ｅｌｅｃｔｒｏｎｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、フラッシュメモリ若しくは他のメモリ技術、ＣＤ−ＲＯＭ、ＤＶＤ（ｄｉｇｉｔａｌ  ｖｅｒｓａｔｉｌｅ  ｄｉｓｋ）若しくは他の光学ディスク記憶装置、磁気カセット、磁気テープ、磁気ディスク記憶装置若しくは他の磁気記憶装置、又は所望の情報を格納するために使用可能であり且つ装置がアクセスすることが出来る任意の他の媒体を含む。
【００１５】
一般に、通信媒体は、コンピュータ可読命令、データ構造、プログラムモジュール又は搬送波若しくは他の伝送機構等のモジュール化データ信号の他のデータを具現化し、且つ任意の情報送達媒体を含む。モジュール化データ信号は、１つ以上のその特性の組を有し又は信号内の情報を符号化するような方式で変更される信号である。限定ではなく例示目的で、通信媒体は、有線ネットワーク又は直接有線接続等の有線媒体、並びに音響、ＲＦ、赤外線等の無線媒体及び他の無線媒体を含む。図示されないが、装置の電源が入れられて、対応するソフトウェアアプリケーション（例えば、ソフトウェアタスク）が装置上で実行されている間、ＲＡＭ１０５は、ＲＡＭメモリ１０５に記憶されるアプリケーションデータを表す１つ以上のアプリケーションを有する。
【００１６】
通信モジュール１０９は、装置のユーザが入力を提供する押しボタン、キーパッド、タッチスクリーン、及び／又はスタイラス（又は任意の周知の装置）を含んでもよく、また、オーディオ出力を提供する１つ以上のスピーカ、並びにテキスト、視聴覚及び／又は図形出力を提供するビデオディスプレイを含んでもよい。
【００１７】
ソフトウェアは、様々な機能を装置が実行することが出来るようにプロセッサ１０３に命令を提供するためにメモリ１１５及び／又は記憶装置内に記憶されてもよい。例えば、メモリ１１５は、オペレーティングシステム１１７、アプリケーションプログラム１１９、及び関連するデータベース１２１等の基本装置及び端末装置によって使用されるソフトウェアを記憶してもよい。代替的に、装置のための一部の又は全てのコンピュータ実行可能命令は、ハードウェア又はファームウェア（図示せず）で具現されてもよい。データベース１２１は、集中型記憶装置を提供してもよい。
【００１８】
上述のように、装置は、ネットワーク接続の環境で動作してもよく、また、互いと又はブランチ端末機等の１つ以上の遠隔コンピュータ装置との接続をサポートしてもよい。ブランチコンピュータ装置は、装置に対して上述の多くの又は全ての要素を含むパーソナルコンピュータ装置又はサーバであってもよい。ブランチコンピュータ装置は、無線チャネル上で、又は無線ＬＡＮ若しくはＷＡＮ又は任意の他の周知の方法を介して通信する移動装置であってもよい。
【００１９】
必須ではないが、当業者の１人であれば、本明細書に記載の様々な態様が方法、データ処理システムとして、又はコンピュータ実行可能命令を記憶するコンピュータ可読媒体として具現されてもよいことを理解するであろう。例えば、本発明の態様に従って方法のステップをプロセッサに実行させる命令を記憶するコンピュータ可読媒体が考えられる。例えば、データ伝送特性を更新する等の本明細書に開示された方法ステップの態様は、基本装置又は端末装置におけるプロセッサで実行されてもよい。このようなプロセッサは、コンピュータ可読媒体に記憶されるコンピュータ実行可能命令を実行してもよい。
【００２０】
基本装置
図３に、基本装置の例示的な実施形態が示される。基本装置は、主として、伝送設定及びオーディオミックス信号を端末装置に伝送するための伝送装置として働く。しかしながら、本明細書に記載されるように、基本装置は、更なる特徴と共にプログラミングされ得る。例えば、基本装置は、端末装置３００によって検出され且つ伝達される監視システムにおける環境変化の結果として伝送設定を変化させる機能が設けられ得、又は基本装置は、ネットワーク上での選択的なコンピュータ制御を介して自動的に又はユーザ入力のときに変化を発生させる二次的スキャン装置とネットワーク接続され得る。例示的な実施形態では、基本装置２００は、上述のハードウェア及びソフトウェア構成要素を含む筐体２０１を備える。更に、筐体２０１は、限定されないが、メニュー、オプション、モード、並びに伝送設定及びオーディオ信号レベル指示器２２４を表示するためのＬＣＤディスプレイ２０２を含む、ディスプレイが取り付けられてもよい。また、基本装置２００は、上述のユーザ入力制御が設けられてもよく、この実施形態では、それは、入力（ｅｎｔｅｒ）押しボタン２１６、終了（ｅｘｉｔ）押しボタン２１８、押し制御ノブ２０４、同期（ｓｙｎｃ）押しボタン２０６、電源スイッチ２１４、ＲＦ伝送オン／オフスイッチ２１２、オーディオ信号レベル調節器２２２、及び音量制御２１０から構成される。この実施形態では、基本装置２００は、端末装置３００と通信するための赤外線ポート２２０、及び基本装置によって出力されるミックスをスクリーニングするための音声伝送装置用のジャック２０８を有する。例示的な実施形態では、赤外線ポート２２０は、限定されないが、周波数データ、ミックスデータ、環境レベル、ステレオ／モノラル、ＥＱ、及び制御マッピングを含む情報を端末装置３００に伝送するために設けられる。また、図１に示されるように、基本装置２００は、ミックスを含む無線信号Ｒを端末装置３００に送信するためのアンテナ２２４を有してもよい。しかしながら、上述のように、基本装置と端末装置との間の任意の適切なデータリンクが伝送のために考えられる。基本装置は、適切なデータリンク上で端末装置から送信信号を受信するように構成される。
【００２１】
基本装置２００は、スタック配置で追加の基本装置が設置されるラックであってもよく、又は任意の他の適切な配置で設置されてもよい。上述のように、追加の基本装置は、チャネルラベル、周波数情報、ミックスデータ、ＲＦ出力、ステレオ／モノラルオーディオ伝送、ＣｕｅＬｉｓｔ、及び本明細書に定義されたバックアップ周波数等のデータを互いに伝送するために有線接続され、無線で又は任意の周知のネットワーク接続方法で接続され得る。
【００２２】
端末装置
図４Ａ−４Ｃに、例示的な端末装置３００が示される。端末装置の主要機能は、基本装置から伝送設定及びオーディオ信号を受信することである。一実施形態では、端末装置は、１つ以上の基本装置によって送信される周波数データ及びミックスデータ等の伝送データを記憶するように構成され得る。端末装置は、チャネルラベルを特定のミックスに割り当てるように構成され得る。次に、端末装置は、各々の記憶された周波数上でオーディオ信号を受信して、伝送データの任意の部分を任意の所望のフォント又はサイズで表示することが出来る。
【００２３】
本明細書で検討されるように、干渉及びハウリング制御等の他の特徴が、端末装置３００にプログラミングされてもよい。更に、端末装置３００は、任意の適切な接続を介して基本装置２００にデータを送信することが出来るように伝送機能が設けられてもよい。図４Ａ−４Ｃに示される例示的な実施形態では、端末装置３００は、上述のハードウェア及びソフトウェア構成要素を収納するための筐体３０１が設けられる。また、端末装置は、それが特定のミックスに割り当てるチャネルラベルに加えて、この実施形態では、一部又は全ての伝送データを表示することが出来るＬＣＤディスプレイ３０２から構成される、ユーザディスプレイを含んでもよい。また、上述のように、端末装置３００は、ユーザ入力制御を有しており、この特定の実施形態では、それは、第１の押しボタン３０８、第２の押しボタン３１０、終了押しボタン３１２、入力押しボタン３１４、周波数スキャンボタン３１６、及び音量制御３０６から構成される。オーディオ信号をオーディオ伝送装置に出力するためのジャック（図示せず）が設けられる。また、端末装置３００は、基本装置から無線送信信号を受信するためのアンテナ３０４、及び基本装置から伝送データを受信するための赤外線ポート３１８を有してもよい。更に、端末装置３００は、端末装置３００をユーザの衣服に固定するためのフレキシブルクリップ３２０又は他の取り付け手段が設けられ得る。このようにして、ユーザは端末装置を身に着けることが可能であり、端末装置はイヤホン等の任意の音声伝送装置を介してユーザの耳にオーディオ信号を伝送することが出来る。
【００２４】
システムの動作
端末装置の１つ以上の動作モードにおいて、ユーザは、端末装置をオーディオ監視システムにおける１つ以上の基本装置と同期することが出来る。これは、端末装置のメモリに記憶される基本装置によって出力された任意の信号をユーザに選択させて聞かせることを可能にする。ユーザは、特定の演奏に対して全てのミックス伝送データを受信して記憶するために端末装置を各基本装置と同期することが出来る。
【００２５】
この同期処理の間、各基本装置は、限定されないが、チャネルラベル、周波数、ユーザ入力ミックス識別子、環境レベル情報、ステレオ／モノラル情報、ＥＱ情報、及び制御マッピング情報を含む伝送データを、基本装置によって出力されるオーディオ信号のために、端末装置に送信することが出来る。チャネルラベルは、周波数チャネルに割り当てられる数字である。周波数は、基本装置によって出力される周波数である。ユーザ入力ミックス識別子は、ユーザが基本装置の設定中に追加し得る、特定のミックスに対してカスタマイズ可能なタイトルである。環境レベル情報は、アーティストのミックスの中に入れられる外部音声データを含む。ステレオ／モノラル情報は、モード情報（即ち、ミックスがステレオ又はモノラルモードで動作しているかどうか）を含む。ＥＱ情報は、オーディオミックスの周波数応答のレベルを含む。最後に、制御マッピング情報は、端末装置上のボタンの機能情報を含む。
【００２６】
例示的な実施形態では、各基本装置に関係付けられるチャネルラベルは、基本装置が端末装置と同期される順序に従って割り当てられる（即ち、同期された第１の基本装置はチャネルラベル数「１」を受信し、同期された第２の基本装置はチャネルラベル数「２」を受信する等）。従って、基本装置が同期される順序は、対応して割り当てられるチャネルラベルを決定する。代替的に、システムは、各基本装置が割り当てられたチャネルラベル数を記憶して、端末装置に送信される伝送データの一部としてチャネルラベル数を送信するように構成され得る（即ち、基本装置の割り当てられたチャネルラベル数１が、基本装置が同期される順序に関係なく、端末装置に「１」として記憶される）。このようにして、ユーザは、このような基本装置のミックスが端末装置上で利用可能なチャネルのリストにおいて同じ場所に現れるように、「優先番号」の形式で固定されたままのチャネルラベルを各基本装置に割り当て得る。次に、割り当てられたチャネルラベルは、伝送データの一部として端末装置に伝達され得る。端末装置は、そのメモリに、各オーディオ信号の伝送データを受信して記憶する。端末装置は、任意の利用可能な記憶された基本装置の周波数に同調して、対応する記憶された基本装置のチャネルラベル及びミックス識別子を表示することが出来るように、ユーザ入力装置を介して、各伝送データの組の間で又はその中をトグル又はスクロールすることを可能にする。端末装置は、記憶された周波数上で選択された基本装置からオーディオ信号を受信することが可能であり、適切な音声伝送装置にオーディオ信号を出力することが出来る。例示的な同期処理が、図５−７に示されており、以下で説明される。以下に記載される処理は単なる例示的な実施形態であり、この特定の同期処理に本開示を限定することは全く意図されていない。
【００２７】
例示的な実施形態では、ユーザは、複数の利用可能な基本装置及びそれらに関連する伝送データを記憶し、アクセスし、且つそれらの中でスクロールすることが出来るように、伝送装置を事前設定される「モード」に設定しなければならない。例示された実施形態では、「ＣＵＥＭＯＤＥ」機能がこのようなモードに対応する。まず、ユーザは、（第１及び第２の押しボタン３０８、３１０を使用して「ＣＵＥＭＯＤＥ」機能までスクロールして、入力押しボタン３１４を押すことにより所望のモードを選択することにより）図５Ａに示される端末装置のＬＣＤ３０２上で「ＣＵＥＭＯＤＥ」モードを選択する。図５Ｂに示されるように、「ＣＵＥＭＯＤＥ」機能である場合、端末装置ＬＣＤ３０２は、端末装置のメモリに現在記憶されたチャネルがない場合を示し得る。次に、端末装置は、基本装置の伝送データを受信するために基本装置２００上の同期押しボタン２０６を押すようにユーザに指示する。次に、ユーザは、基本装置の赤外線ポート２２０に向けて端末装置３００の赤外線ポート３１８を掲げて、同期押しボタン２０６を押す。結果として、基本装置は、図６Ａに示されるように周波数「７１２．０００ＭＨｚ」及びミックス識別子「ＶＯＸ」を含む伝送データの組を送信する。次に、端末装置３００は、この情報をそのメモリに記憶して、情報の全て又は一部をＬＣＤ３０２上で表示し、図６Ｂに示されるようにそれが記憶されていることを示す。また、端末装置３００は、「１」等のチャネルラベルをミックスに割り当ててもよい。次に、図７Ａに示されるように、ユーザは、端末装置のメモリに追加の基本装置を加えることが出来る。この例示では、ユーザは、次に、第２の基本装置２００ｂからの伝送データ（この場合、「ＢＡＳＳ」ミックス）を端末装置３００に同期する。図７Ａ及び７Ｂに示されるように、第２の基本装置２００ｂは、そのディスプレイ２０２ｂに示されるように、周波数「７１３．０００ＭＨｚ」及びミックス識別子「ＢＡＳＳ」を含む伝送データを端末装置３００に送信する。また、端末装置３００は、チャネルラベル「２」をミックスに割り当てる。次に、端末装置３００は、伝送データの記憶が成功したことを示すために送信機情報を記憶及び表示する。この処理は、追加の基本装置から追加の伝送データをダウンロードする複数の反復から構成されてもよく、その結果、完了した場合に、端末装置が複数の基本装置からの伝送データをメモリに記憶することになる。
【００２８】
図８Ａ−８Ｃは、音声エンジニアが故障した端末装置の「取り替え」を行うことが出来る「ホットスワップ（ｈｏｔ  ｓｗａｐ）」動作を示す。この場合、例えば、ベースギタリストの端末装置が演奏中に故障すると、音声エンジニアは、特定の演奏からの「ＢＡＳＳ」ミックスに対応する基本装置の伝送データが事前に読み込まれた別の使用可能な端末装置をベース奏者に迅速に提供することが出来る。この例示では、使用可能な端末装置において「７１３．０００ＭＨｚ」の周波数で出力するチャネル「２」で「ＢＡＳＳ」ミックスを選択するために迅速にトグル又はスクロールして、故障した端末装置を使用可能な端末装置と交換することが出来る。選択的に、音声エンジニアは、演奏者が自身が舞台上で受信しているミックスを誤って変更することを避けるために、使用可能な端末装置を故障したものと交換する前に、ＣＵＥＭＯＤＥ機能を終了し得る。代替的に、音声エンジニアがＣＵＥＭＯＤＥ機能で使用可能な端末装置をアクティブのままにしておく場合、演奏者は、伝送装置のメモリに記憶されたチャネル上で受信される様々な利用可能なミックスの中から選択してもよい。
【００２９】
従って、動作可能端末装置を利用可能な基本装置の全てに対する伝送データを用いてプログラミングすることによって、音声エンジニアは、舞台上のありとあらゆる端末装置に対してバックアップ装置を備える。これは、任意の基本装置から任意の利用可能な音声ミックスを受信するように迅速に設定可能な「ユニバーサル」端末装置を音声エンジニアに提供する。更に、これは、ＣＵＥＭＯＤＥで記憶された基本装置情報をスクロールすることによって音声エンジニアが任意の利用可能な音声ミックスを（このような「ユニバーサル」端末装置に接続される音声伝送装置を介して）聞くことを可能にする。
【００３０】
ネットワーク接続の環境動作
オーディオ監視システムは、ネットワーク接続の環境において追加の機能が提供されてもよい。こうした追加の機能は、単なる例示であって、本発明の特定の構成又は処理に限定することを全く意図していない。
【００３１】
赤外線リンクを介して各基本装置に端末装置を個別に同期する代わりに、同期処理は、データネットワークを介して自動的に遂行され得る。この処理において、１つ以上の端末装置は、基本装置ごとの赤外線処理の代わりに、ネットワークを介してオーディオ監視システムにおける基本装置の全て（又は所望のサブセット）から伝送データを受信することが出来る。しかしながら、これは、音声エンジニアがネットワーク上でミキサを使って基本装置を設定すると自動的に発生することも可能である。
【００３２】
更に、オーディオ監視システムは、アクティブ環境監視システムが提供され得る。この例示において、限定されないが、端末装置又は基本装置等のオーディオ監視システムの１つ以上の構成要素は、アクティブ監視ソフトウェアを含み得る。監視ソフトウェアは、無線システムが動作するスペクトル内に存在する干渉を検出するように構成され、且つ監視システムに存在するこのような干渉を避けるために監視システムにおけるオーディオ信号の伝送特性を変更するように構成される。
【００３３】
環境の監視（例えば、利用可能なＦＭスペクトル）は、端末装置で、基本装置内で、又はユーザ入力を受信する選択的なコンピュータ制御を有するネットワーク接続されたスキャン装置内で行うことが可能である。端末装置は、伝送問題（干渉等）を検出して、基本装置がその伝送特性を変更することが出来るように基本装置と通信するように適合されてもよい。そして、端末装置は、新しいより障害のない伝送特性で（例えば、異なる周波数で）オーディオ信号を受信することが出来る。この監視処理は、監視システムに結び付けられた、ラップトップ等のコンピュータ装置で遂行されることも可能である。コンピュータ装置は、干渉問題を検出するために端末装置及び基本装置から受信される伝送データを監視して、干渉を検出すると端末装置及び基本装置の伝送設定を変更するように構成され得る。この変更は、選択された設定により自動的に行われ又はユーザによって手動で制御され得る。
【００３４】
自動構成の例では、特定の周波数で干渉を検出すると、特定の基本装置が送信する周波数が変更され得、端末装置のメモリに記憶される対応する周波数も変更され得、その結果、新しい障害のない周波数で、基本装置は送信し且つ端末装置は受信する。
【００３５】
本明細書に記載のオーディオ監視システムの態様は、所与の演奏における全てのミックスを容易に監視する能力を音声エンジニアに提供する。これにより、演奏中に音声エンジニアはミックスを完成させる仕事に集中することが出来る。利用可能な基本装置の中から任意のミックスへと迅速にトグルすることが出来ることによって、音声エンジニアは、演奏者が不満を抱く可能性がある任意のミックスを正確に監視及び試聴テストすることが出来るであろう。
【００３６】
上述のように、基本装置の伝送データの記憶装置を有する端末装置の潜在的な使用の１つは、演奏者の端末装置の１つが演奏中に故障した場合のバックアップ目的のためである。演奏者の端末装置の１つがショーの間に故障した場合、音声エンジニアは、使用可能な端末装置において演奏者の所望の基本装置のミックスを迅速にスクロールして、故障した端末装置を交換することが出来る。
【００３７】
装置の別の潜在的な使用は、干渉の場合に、演奏者にバックアップ周波数を提供することである。例えば、多数の基本装置が異なる周波数上で同じミックスを出力するようにプログラミングされ得、それによって、同じミックスの重複した伝送が提供される。このようにして演奏者が１つ以上の出力された周波数上で干渉に遭遇する場合に、演奏者は、干渉なしで同じミックスを受信するために異なる基本装置（従って、異なる周波数）へと端末装置を迅速にスクロールすることが出来る。
【００３８】
更に、演奏者が複数の異なるミックスから選択する機能を望む場合には、その端末装置は異なるミックスを出力する異なる基本装置に同調するようにプログラミングされ得る。例えば、ギタリストは、アコースティックギター用にある種類のミックスを好み、エレキギター用に別の種類のミックスを好むかもしれない。端末装置は、別個のミックスを出力する２つの基本装置の間で同調するようにプログラミング可能であり、その結果、ショーの間に、ギタリストは、別個のミックス間で容易に切り替えることが出来る。本明細書に記載の構成は、広く柔軟な使用、並びに端末装置が複数の利用可能な基本装置及び対応するミックスの中で切り替えられることが出来るようにプログラミングされ得るシステムの機能の例示である。
【図１】
2013509095.tif 000003
【図２】
2013509095.tif 000004
【図３】
2013509095.tif 000005
【図４Ａ】
2013509095.tif 000006
【図４Ｂ】
2013509095.tif 000007
【図４Ｃ】
2013509095.tif 000008
【図５Ａ】
2013509095.tif 000009
【図５Ｂ】
2013509095.tif 000010
【図５Ｃ】
2013509095.tif 000011
【図６Ａ】
2013509095.tif 000012
【図６Ｂ】
2013509095.tif 000013
【図７Ａ】
2013509095.tif 000014
【図７Ｂ】
2013509095.tif 000015
【図８Ａ】
2013509095.tif 000016
【図８Ｂ】
2013509095.tif 000017
【図８Ｃ】
2013509095.tif 000018
【国際調査報告】
2013509095.tif 000019
2013509095.tif 000020